(57)【要約】      （修正有）【課題】製紙原料用濃縮機の濃縮効果を向上させる。【解決手段】濃縮機１を、（１）原料受入槽、（２）回転軸３で回転すると共に対向設置した第１、２回転体４、５、（３）第１回転体の内周部から外周部に向かって放射状に設けた複数の第１支持部材４２、（４）隣接する第１支持部材に傾斜して取り付けた複数の第１分割フィルター４４（第１回転体の回転方向の後方に位置するフィルターの取付部位が、回転方向の前方に位置するフィルターの取付部位より、第２回転体に向かうように取り付ける）、（５）第２回転体の内周部から外周部に向かって放射状に設けた複数の第２支持部材５２、（６）隣接する第２支持部材に傾斜して取り付けた複数の第２分割フィルター５４（第２回転体の回転方向の後方に位置するフィルターの取付部位が、回転方向の前方に位置するフィルターの取付部位より、第１回転体に向かうように取り付ける）、から構成する。【選択図】図４
2011038200.tif 000002
【特許請求の範囲】
【請求項１】
製紙原料を受け入れる槽と、
この槽には、回転軸により回転すると共に、対向して設けられた第１、第２の回転体と、
前記第１の回転体の内周部と外周部とにそれぞれ取り付けられ、前記内周部から前記外周部に向かって放射状に設けられた複数の第１の支持部材と、
この複数の第１の支持部材の内、隣接する第１の支持部材にそれぞれ傾斜して取り付けられた複数の第１の分割フィルターと、
傾斜して取り付けられた複数の前記第１の分割フィルターは、それぞれ、隣接する前記第１の支持部材の内、前記第１の回転体の回転方向の後方に位置する前記第１の支持部材の前記第１の分割フィルターの取付部位が前記第１の回転体の回転方向の前方に位置する前記第１の支持部材の前記第１の分割フィルターの取付部位より前記第２の回転体に向かうように傾斜して取り付けられたものであり、
前記第１の回転体の前記第１の分割フィルターに向かって水を散布する第１の水散布手段と、
前記第２の回転体の内周部と外周部とにそれぞれ取り付けられ、前記内周部から前記外周部に向かって放射状に設けられた複数の第２の支持部材と、
この複数の第２の支持部材の内、隣接する第２の支持部材にそれぞれ傾斜して取り付けられた複数の第２の分割フィルターと、
傾斜して取り付けられた複数の前記第２の分割フィルターは、それぞれ、隣接する前記第２の支持部材の内、前記第２の回転体の回転方向の後方に位置する前記第２の支持部材の前記第２の分割フィルターの取付部位が前記第２の回転体の回転方向の前方に位置する前記第２の支持部材の前記第２の分割フィルターの取付部位より前記第１の回転体に向かうように傾斜して取り付けられたものであり、
前記第２の回転体の前記第２の分割フィルターに向かって水を散布する第２の水散布手段と、
前記槽内の前記第１の回転体と前記第２の回転体との間であって、前記第１の回転体及び前記第２の回転体の下降側に位置する入口部に連通する原料導入通路と、
前記槽内の前記第１の回転体と前記第２の回転体との間であって、前記第１の回転体及び前記第２の回転体の上昇側に位置する出口部に連通する原料導出通路と、
前記第１の分割フィルター及び前記第２の分割フィルターを介して前記槽の外へと排出された前記製紙原料中の水の水排出通路と、
を備えていることを特徴とする製紙原料用濃縮機。
【請求項２】
第１の分割フィルターの第２の分割フィルターに向かう先端が凸形状に、
前記第２の分割フィルターの前記第１の分割フィルターに向かう先端が凸形状に、
形成されている
ことを特徴とする請求項１記載の製紙原料用濃縮機。
【請求項３】
槽内に受け入れた製紙原料を対向する第１、第２のディスク型フィルターを介して製紙原料の濃縮を濃くする製紙原料の濃縮方法であって、
前記第１のディスク型フィルターを略扇状に複数分割した第１の分割フィルターとし、
前記第２のディスク型フィルターを略扇状に複数分割した第２の分割フィルターとし、
前記第１の分割フィルターと前記第２の分割フィルターとが、前記第１、第２のディスク型フィルターの回転方向に対して末広がりとなる略Ｖ字形状になすように構成され、
前記槽内の前記製紙原料を前記略Ｖ字形状の部位で持ち上げ、持ち上げられた前記製紙原料は、前記第１のフィルター及び前記第２のフィルターを介して、前記製紙原料の水が分離されて濃縮される
ことを特徴とする製紙原料の濃縮方法。
【請求項４】
第１の分割フィルターの第２の分割フィルターに向かう先端が第１の凸形状に、
前記第２の分割フィルターの前記第１の分割フィルターに向かう先端が第２の凸形状に、それぞれ形成され、
持ち上げられた製紙原料を、前記第１の凸形状の部位又は前記第２の凸形状の部位又は前記第１の凸形状の部位及び前記第２の凸形状の部位に係止させる
ことを特徴とする請求項３記載の製紙原料の濃縮方法。
【発明の詳細な説明】
【技術分野】
【０００１】
本発明は、製紙原料用濃縮機及び製紙原料の濃縮方法に係り、特に、濃縮効果の向上を図った製紙原料用濃縮機及び製紙原料の濃縮方法に関する。
【背景技術】
【０００２】
従来、円形の枠組に金網のフィルターを張ったディスクを２枚組み合わせ、その２枚のディスクの内側に製紙原料を流し、製紙原料中の水を金網のフィルターからディスクの外側に排出して分離し、製紙原料の濃度を高めた２枚型ディスクフィルターの製紙原料用濃縮機がある。
【発明の概要】
【発明が解決しようとする課題】
【０００３】
しかしながら、上述の製紙原料用濃縮機にあっては、ディスクに張られた金網のフィルターは、フラットで互いに平行な面となっているため、対向する金網のフィルターで製紙原料を持ち上げることができず、濃縮効果を高めることができないという問題点があった。
【０００４】
本発明は、上記の問題点に基づき、濃縮効果の向上を図った製紙原料用濃縮機及び製紙原料の濃縮方法を提供することを目的とする。
【課題を解決するための手段】
【０００５】
請求項１記載の製紙原料用濃縮機は、製紙原料を受け入れる槽と、この槽には、回転軸により回転すると共に、対向して設けられた第１、第２の回転体と、前記第１の回転体の内周部と外周部とにそれぞれ取り付けられ、前記内周部から前記外周部に向かって放射状に設けられた複数の第１の支持部材と、この複数の第１の支持部材の内、隣接する第１の支持部材にそれぞれ傾斜して取り付けられた複数の第１の分割フィルターと、傾斜して取り付けられた複数の前記第１の分割フィルターは、それぞれ、隣接する前記第１の支持部材の内、前記第１の回転体の回転方向の後方に位置する前記第１の支持部材の前記第１の分割フィルターの取付部位が前記第１の回転体の回転方向の前方に位置する前記第１の支持部材の前記第１の分割フィルターの取付部位より前記第２の回転体に向かうように傾斜して取り付けられたものであり、前記第１の回転体の前記第１の分割フィルターに向かって水を散布する第１の水散布手段と、前記第２の回転体の内周部と外周部とにそれぞれ取り付けられ、前記内周部から前記外周部に向かって放射状に設けられた複数の第２の支持部材と、この複数の第２の支持部材の内、隣接する第２の支持部材にそれぞれ傾斜して取り付けられた複数の第２の分割フィルターと、傾斜して取り付けられた複数の前記第２の分割フィルターは、それぞれ、隣接する前記第２の支持部材の内、前記第２の回転体の回転方向の後方に位置する前記第２の支持部材の前記第２の分割フィルターの取付部位が前記第２の回転体の回転方向の前方に位置する前記第２の支持部材の前記第２の分割フィルターの取付部位より前記第１の回転体に向かうように傾斜して取り付けられたものであり、前記第２の回転体の前記第２の分割フィルターに向かって水を散布する第２の水散布手段と、前記槽内の前記第１の回転体と前記第２の回転体との間であって、前記第１の回転体及び前記第２の回転体の下降側に位置する入口部に連通する原料導入通路と、前記槽内の前記第１の回転体と前記第２の回転体との間であって、前記第１の回転体及び前記第２の回転体の上昇側に位置する出口部に連通する原料導出通路と、前記第１の分割フィルター及び前記第２の分割フィルターを介して前記槽の外へと排出された前記製紙原料中の水の水排出通路とを備えているものである。
【０００６】
また、請求項２記載の製紙原料用濃縮機は、請求項１記載の製紙原料用濃縮機において、第１の分割フィルターの第２の分割フィルターに向かう先端が凸形状に、前記第２の分割フィルターの前記第１の分割フィルターに向かう先端が凸形状に、それぞれ形成されているものである。
【０００７】
また、請求項３記載の製紙原料の濃縮方法は、槽内に受け入れた製紙原料を対向する第１、第２のディスク型フィルターを介して製紙原料の濃縮を濃くする製紙原料の濃縮方法であって、前記第１のディスク型フィルターを略扇状に複数分割した第１の分割フィルターとし、前記第２のディスク型フィルターを略扇状に複数分割した第２の分割フィルターとし、前記第１の分割フィルターと前記第２の分割フィルターとが、前記第１、第２のディスク型フィルターの回転方向に対して末広がりとなる略Ｖ字形状になすように構成され、前記槽内の前記製紙原料を前記略Ｖ字形状の部位で持ち上げ、持ち上げられた前記製紙原料は、前記第１のフィルター及び前記第２のフィルターを介して、前記製紙原料の水が分離されて濃縮されるものである。
【０００８】
また、請求項４記載の製製紙原料の濃縮方法は、請求項３記載の製紙原料の濃縮方法において、第１の分割フィルターの第２の分割フィルターに向かう先端が第１の凸形状に、前記第２の分割フィルターの前記第１の分割フィルターに向かう先端が第２の凸形状に、それぞれ形成され、持ち上げられた製紙原料を、前記第１の凸形状の部位又は前記第２の凸形状の部位又は前記第１の凸形状の部位及び前記第２の凸形状の部位に係止させるものである。
【発明の効果】
【０００９】
請求項１記載の製紙原料用濃縮機によれば、槽内に受け入れられた濃度の薄い製紙原料の水は、第１の分割フィルター及び第２の分割フィルターを介して、水排出通路から槽外へと排出され、濃度の濃い製紙原料は、槽内に留まると共に、槽内の製紙原料は、上に向かって末広がりに構成された第１の分割フィルター及び第２の分割フィルターにより持ち上げられ、持ち上げられた製紙原料は、第１の分割フィルター及び第２の分割フィルターを介して、製紙原料の水は分離され、濃縮効果を高めて、濃度の高い製紙原料は、第１の回転体及び第２の回転体の上昇側に位置する出口部を介して、原料導出通路へと導かれる。
【００１０】
また、請求項２記載の製紙原料用濃縮機によれば、上述した請求項１記載の発明の効果に加え、第１の分割フィルターの第２の分割フィルターに向かう先端が凸形状に、前記第２の分割フィルターの前記第１の分割フィルターに向かう先端が凸形状に、形成されているため、第１の分割フィルター及び第２の分割フィルターにより持ち上げられ製紙原料を捕捉して、濃縮効果を高めることができる。
【００１１】
また、請求項３記載の製紙原料の濃縮方法によれば、槽内の製紙原料を第１の分割フィルターと第２の分割フィルターとが、第１、第２のディスク型フィルターの回転方向に対して末広がりとなる略Ｖ字形状の部位で持ち上げ、持ち上げられた製紙原料は、第１の分割フィルター及び第２の分割フィルターを介して、製紙原料の水は分離され、濃縮効果を高めることができる。
【００１２】
また、請求項４記載の製紙原料の濃縮方法によれば、上述した請求項３記載の発明の効果に加え、第１の分割フィルターの第２の分割フィルターに向かう先端が凸形状に、前記第２の分割フィルターの前記第１の分割フィルターに向かう先端が凸形状に、形成されているため、第１の分割フィルター及び第２の分割フィルターにより持ち上げられ製紙原料を捕捉して、濃縮効果を高めることができる。
【図面の簡単な説明】
【００１３】
【図１】図１は、本発明の一実施例の製紙原料用濃縮機の概略的斜視図である。
【図２】図２は、図１の製紙原料用濃縮機の概略的断面図である。
【図３】図３は、図１の製紙原料用濃縮機の概略的平面図である。
【図４】図４は、図１の製紙原料用濃縮機の概略的正面図である。
【図５】図５は、図１の第１の回転体と第２の回転体を拡大して示す概略的一部拡大斜視図である。
【図６】図６は、図５の第１の分割フィルターと第２の分割フィルターとが、第１、第２の回転体の回転方向に対して末広がりとなる略Ｖ字形状になすように構成された状態を示す概略的構成図である。
【図７】図７は、図２のＡ−Ａ線による概略的断面図である。
【発明を実施するための形態】
【００１４】
本発明の一実施例の製紙原料用濃縮機及び製紙原料の濃縮方法を参照して説明する。
図１に示す１は、製紙原料用中から水を分離して、製紙原料の濃度を濃くする濃縮機で、濃縮機１は、製紙原料を受け入れる槽２を有している。
この槽２には、回転軸３により回転する第１の回転体４、第２の回転体５が設けられている。
なお、槽２は、第１の壁２ａ、第２の壁２ｂ、第３の壁２ｃ、第４の壁２ｄで囲まれて形成され（図１参照）、第１の壁２ａと第２の回転体５との間には第１のシール部材Ｓ１が、第２の壁２ｂと第１の回転体４との間には第２のシール部材Ｓ２が、それぞれ設けられ、シールされている（図４参照）。また、回転軸３は、モーター６の回転をベルト７を介して回転するようになっている。
【００１５】
また、図５に示す４２は第１の支持部材で、第１の支持部材４２は、第１の回転体４の内周部（ボス）４０と外周部４１とにそれぞれ取り付けられ、内周部４０から外周部４１に向かって放射状に複数設けられている。本実施例では、第１の支持部材４２は、８個設けられている。
この複数の第１の支持部材４２の内、隣接する第１の支持部材４２、４２にそれぞれ傾斜して複数の第１の分割フィルター４４が取り付けられている。
傾斜して取り付けられた複数の第１の分割フィルター４４、４４、４４、４４、４４、４４、４４、４４は、それぞれ、隣接する第１の支持部材４２、４２の内、第１の回転体４の回転方向の後方に位置する第１の支持部材４２（Ｂ）の第１の分割フィルター４４の取付部位が第１の回転体４の回転方向の前方に位置する第１の支持部材４２（Ｆ）の第１の分割フィルター４４の取付部位より第２の回転体５に向かうように傾斜して取り付けられている（図５及び図６参照）。
つまり、第１の回転体４（第１のディスク型フィルター）は、略扇状に複数分割され、分割されたものが、第１の分割フィルター４４となって、隣接する第１の支持部材４２、４２に傾斜して取り付けられている。
【００１６】
第１の分割フィルター４４は、例えば、ウェッジワイヤで形成したもので、後述する第２の分割フィルター５４に向かう先端４４ａが凸形状となっている（図７参照）。
また、図１及び図３に示す８は、第１の回転体４の第１の分割フィルター４４に向かって水を散布する第１の水散布手段で、第１の水散布手段８は、第１の分割フィルター４４の両面から水を散布し、第１の分割フィルター４４の目詰まりを除去するものである。
【００１７】
図５に示す５２は、第２の支持部材で、第２の支持部材５２は、第２の回転体５の内周部（ボス）５０と外周部５１とにそれぞれ取り付けられ、内周部５０から外周部５１に向かって放射状に複数設けられている。本実施例では、第２の支持部材５２は、８個設けられている。
この複数の第２の支持部材５２の内、隣接する第２の支持部材５２、５２にそれぞれ傾斜して複数の第２の分割フィルター５４が取り付けられている。
傾斜して取り付けられた複数の第２の分割フィルター５４、５４、５４、５４、５４、５４、５４、５４は、それぞれ、隣接する第２の支持部材５２、５２の内、第２の回転体５の回転方向の後方に位置する第２の支持部材５２（Ｂ）の第２の分割フィルター５４の取付部位が第２の回転体５の回転方向の前方に位置する第２の支持部材５２（Ｆ）の第２の分割フィルター５４の取付部位より第１の回転体４に向かうように傾斜して取り付けられている。
つまり、第２の回転体５（第２のディスク型フィルター）は、略扇状に複数分割され、分割されたものが、第２の分割フィルター５４となって、隣接する第２の支持部材５２、５２に傾斜して取り付けられている。
【００１８】
第２の分割フィルター５４は、第１の分割フィルター４４と同様、第１の分割フィルター４４に向かう先端５４ａが凸形状に形成されている（図７参照）。
そして、第１の分割フィルター４４と第２の分割フィルター５４とは、図４、図６及び図７に示すように、第１の回転体４（第１のディスク型フィルター）、第２の回転体５（第２のディスク型フィルター）の回転方向に対して末広がりとなる略Ｖ字形状になすように構成されている。
そのため、槽２内の製紙原料を前記略Ｖ字形状の部位で持ち上げ、持ち上げられた製紙原料１００は、図７に示すように、第１の回転体４（第１のディスク型フィルター）の第１の分割フィルター４４及び第２の回転体５（第２のディスク型フィルター）の第２の分割フィルター５４を介して、前記製紙原料の水が分離されて濃縮されることとなる。
また、図１及び図３に示す９は、第２の回転体５の第２の分割フィルター５４に向かって水を散布する第２の水散布手段で、第２の水散布手段９は、第２の分割フィルター５４の両面から水を散布し、第２の分割フィルター５４の目詰まりを除去するものである。
【００１９】
また、図１及び図４に示す２１は、槽２内の第１の回転体４と第２の回転体５との間であって、第１の回転体４及び第２の回転体５の下降側に位置する製紙原料の槽２内への入口部で、入口部２１は、原料導入通路２２に連通している。
また、図１に示す２３は、槽２内の第１の回転体４と第２の回転体５との間であって、第１の回転体４及び第２の回転体５の上昇側に位置する製紙原料の槽２外への出口部で、出口部２３は、原料導出通路２４に連通している。
また、図１に示す２５は、第１の分割フィルター４４及び第２の分割フィルター５４を介して槽２の外へと排出された製紙原料中の水の水排出通路である。
【００２０】
従って、上述した製紙原料用濃縮機１によれば、槽２内に受け入れられた濃度の薄い製紙原料中の水は、第１の分割フィルター４４及び第２の分割フィルター５４を介して、槽２、水排出通路２５から外へと排出される。
その結果、濃度の濃い製紙原料は、槽２内に留まることとなる。
【００２１】
槽２内に留まった製紙原料１００は、図７に示すように、上に向かって末広がりに構成された第１の分割フィルター４４及び第２の分割フィルター５４により持ち上げられ、持ち上げられた製紙原料１００は、第１の分割フィルター４４及び第２の分割フィルター５４を介して、製紙原料の水は分離され、濃縮効果を高めて、濃度の高い製紙原料は、第１の回転体４及び第２の回転体５の上昇側に位置する出口部２３を介して、原料導出通路２４へと導かれる（図１及び図２参照）。
このようにして、槽２内に受け入れた製紙原料は、対向する第１の回転体４（第１のディスク型フィルター）、第２の回転体５（第２のディスク型フィルター）を介して製紙原料は濃縮されることとなる。
【符号の説明】
【００２２】
１      製紙原料用濃縮機
２      槽
３      回転軸
４      第１の回転体
５      第２の回転体
４２    第１の支持部材
４４    第１の分割フィルター
５２    第２の支持部材
５４    第２の分割フィルター
【図１】
2011038200.tif 000003
【図２】
2011038200.tif 000004
【図３】
2011038200.tif 000005
【図４】
2011038200.tif 000006
【図５】
2011038200.tif 000007
【図６】
2011038200.tif 000008
【図７】
2011038200.tif 000009